(57)【要約】【課題】信号折返装置を用いたアクセス区間の開通試験において、異常箇所の切り分けを行う。【解決手段】一方の地点と他方の地点とを結ぶアクセス区間の開通試験において、一方の地点に設けられた試験装置ａからアクセス区間を介して受信した試験用信号を折り返して試験装置ａに向けてアクセス区間に送出する信号折返装置であって、アクセス区間から入力される試験用信号を受信すると共に、アクセス区間に向けて試験用信号を送信する送受信手段１と、該送受信手段１が受信した試験用信号の異常を検出する異常検出手段３と、送受信手段１が受信した試験用信号の送信元と宛先とを入れ替える宛先変更手段４と、異常検出手段３によって試験用信号の異常が検出されると、当該試験用信号のバイト長を所定バイトだけ変更して、送信用に送受信手段１に出力する信号長変更手段５とを具備する。【選択図】　　　図２
2004096425.tif 000002
【特許請求の範囲】
【請求項１】
一方の地点と他方の地点とを結ぶアクセス区間の開通試験において、一方の地点に設けられた試験装置（ａ）からアクセス区間を介して受信した試験用信号を折り返して試験装置（ａ）に向けてアクセス区間に送出する信号折返装置であって、
アクセス区間から入力される試験用信号を受信すると共に、アクセス区間に向けて試験用信号を送信する送受信手段（１）と、
該送受信手段（１）が受信した試験用信号の異常を検出する異常検出手段（３）と、
前記送受信手段（１）が受信した試験用信号の送信元と宛先とを入れ替える宛先変更手段（４）と、
前記異常検出手段（３）によって試験用信号の異常が検出されると、当該試験用信号のバイト長を所定バイトだけ変更して、送信用に送受信手段（１）に出力する信号長変更手段（５）と
を具備することを特徴とする信号折返装置。
【請求項２】
アクセス区間がＬＡＮ（Ｌｏｃａｌ　Ａｒｅａ　Ｎｅｔｗｏｒｋ）を伝送するものである場合には、試験用信号はＬＡＮフレームであることを特徴とする請求項１記載の信号折返装置。
【請求項３】
送受信手段（１）においてＬＡＮフレームとして許容される最小フレーム長の試験用信号が受信された場合、信号長変更手段（５）は、試験用信号のフレーム長を所定バイトだけ増加させることを特徴とする請求項２記載の信号折返装置。
【請求項４】
フレーム長を増加させた試験信号と当該試験信号に続く次の試験信号とのフレーム間隔がＬＡＮフレームとして許容される最小フレーム間隔を満足するように間隔設定することを特徴とする請求項３記載の信号折返装置。
【請求項５】
送受信手段（１）においてＬＡＮフレームとして許容される最大フレーム長の試験用信号が受信された場合、信号長変更手段（５）は、試験用信号のフレーム長を所定バイトだけ減少させることを特徴とする請求項２記載の信号折返装置。
【請求項６】
一方の地点と他方の地点とを結ぶアクセス区間について、一方の地点からアクセス区間に出力した試験用信号を他方の地点で折り返すことにより、一方の地点でアクセス区間の状態を評価する通信回線試験方法において、
他方の地点では、試験用信号の異常を検出すると共に、当該異常が検出されると、当該試験用信号のバイト長を所定バイトだけ変更して一方の地点に向けて送信し、
一方の地点では、前記所定バイトのバイト長変化を検出することにより一方の地点から他方の地点に向かうアクセス区間に異常があると判断する
ことを特徴とする通信回線試験方法。
【請求項７】
ＬＡＮ（Ｌｏｃａｌ　Ａｒｅａ　Ｎｅｔｗｏｒｋ）を伝送するアクセス区間に適用し、試験用信号をＬＡＮフレームとすることを特徴とする請求項６記載の通信回線試験方法。
【請求項８】
他方の地点では、ＬＡＮフレームとして許容される最小フレーム長の試験用信号が受信された場合、試験用信号のフレーム長を所定バイトだけ増加させて一方の地点に向けて送信することを特徴とする請求項７記載の通信回線試験方法。
【請求項９】
フレーム長を増加させた試験信号と当該試験信号に続く次の試験信号とのフレーム間隔がＬＡＮフレームとして許容される最小フレーム間隔を満足するように間隔設定することを特徴とする請求項８記載の通信回線試験方法。
【請求項１０】
ＬＡＮフレームとして許容される最大フレーム長の試験用信号が受信された場合、試験用信号のフレーム長を所定バイトだけ減少させることを特徴とする請求項７記載の通信回線試験方法。
【発明の詳細な説明】
【０００１】
【発明の属する技術分野】
本発明は、信号折返装置及び通信回線試験方法に関する。
【０００２】
【従来の技術】
広域イーサネットサービスのアクセス区間の開通試験では、加入者宅内にＬＡＮ測定器を設けると共に、局舎内には信号折返装置を設け、ＬＡＮ測定器から加入者宅内のメディアコンバータを介して試験用ＬＡＮフレームをアクセス回線に送信し、当該アクセス回線及び局内のメディアコンバータを介して信号折返装置に入力されて折り返され、再び局内のメディアコンバータ、アクセス回線及び加入者宅内のメディアコンバータを介してＬＡＮ測定器に受信された試験用ＬＡＮフレームに基づいて加入者宅内のメディアコンバータ、アクセス回線及び局内のメディアコンバータが正常に機能するか否かを確認している。ＬＡＮ測定器は、例えば、送信フレーム数と受信フレーム数とが一致しているか否か、あるいは送信バイト数と受信バイト数とが一致しているか否かを検出することにより、各メディアコンバータ及びアクセス回線が正常に動作しているか否かを確認する。
【０００３】
上記信号折返装置は、試験用ＬＡＮフレームのヘッダに書き込まれている送信元アドレス（ＳＡ）と宛先アドレス（ＤＡ）との入れ替えを行うことにより試験用ＬＡＮフレームの送信先を送信元であるＬＡＮ測定器に変更して送り出すものである。また、信号折返装置は、試験用ＬＡＮフレームを送出する際に、アクセス回線を介してＬＡＮ測定器から受信した試験用ＬＡＮフレームについてＦＣＳ演算を行い、その演算結果を新たに付与して送出している。
【０００４】
【発明が解決しようとする課題】
すなわち、従来の信号折返装置は、自らが受信した試験用ＬＡＮフレームに何らかのビットエラーが発生していても、このビットエラーを無視して、新たにＦＣＳ演算の結果を試験用ＬＡＮフレームに付与して送信する。したがって、上りアクセス区間において試験用ＬＡＮフレームにビットエラーが発生しても、ＬＡＮ測定器は、この上りアクセス区間におけるビットエラー（つまり上りアクセス区間の異常）を確認することができない。
【０００５】
本発明は、上述する問題点に鑑みてなされたもので、以下の点を目的とするものである。
（１）信号折返装置を用いたアクセス区間の開通試験において、異常箇所の切り分けを行う。
（２）信号折返装置を用いたアクセス区間の開通試験において、上りアクセス区間の異常を検出する。
【０００６】
【課題を解決するための手段】
上記目的を達成するために、本発明では、信号折返装置に係わる第１の手段として、一方の地点と他方の地点とを結ぶアクセス区間の開通試験において、一方の地点に設けられた試験装置（ａ）からアクセス区間を介して受信した試験用信号を折り返して試験装置（ａ）に向けてアクセス区間に送出する信号折返装置であって、アクセス区間から入力される試験用信号を受信すると共に、アクセス区間に向けて試験用信号を送信する送受信手段（１）と、該送受信手段（１）が受信した試験用信号の異常を検出する異常検出手段（３）と、送受信手段（１）が受信した試験用信号の送信元と宛先とを入れ替える宛先変更手段（４）と、異常検出手段（３）によって試験用信号の異常が検出されると、当該試験用信号のバイト長を所定バイトだけ変更して、送信用に送受信手段（１）に出力する信号長変更手段（５）とを具備する構成を採用する。
【０００７】
また、信号折返装置に係わる第２の手段として、上記第１の手段において、アクセス区間がＬＡＮ（Ｌｏｃａｌ　Ａｒｅａ　Ｎｅｔｗｏｒｋ）を伝送するものである場合には、試験用信号はＬＡＮフレームであるという構成を採用する。
【０００８】
信号折返装置に係わる第３の手段として、上記第２の手段において、送受信手段（１）においてＬＡＮフレームとして許容される最小フレーム長の試験用信号が受信された場合、信号長変更手段（５）は、試験用信号のフレーム長を所定バイトだけ増加させるという構成を採用する。
【０００９】
信号折返装置に係わる第４の手段として、上記第第３の手段において、フレーム長を増加させた試験信号と当該試験信号に続く次の試験信号とのフレーム間隔がＬＡＮフレームとして許容される最小フレーム間隔を満足するように間隔設定するという構成を採用する。
【００１０】
信号折返装置に係わる第４の手段として、上記第２の手段において、送受信手段（１）においてＬＡＮフレームとして許容される最大フレーム長の試験用信号が受信された場合、信号長変更手段（５）は、試験用信号のフレーム長を所定バイトだけ減少させるという構成を採用する。
【００１１】
一方、本発明では、通信回線試験方法に係わる第１の手段として、一方の地点と他方の地点とを結ぶアクセス区間について、一方の地点からアクセス区間に出力した試験用信号を他方の地点で折り返すことにより、一方の地点でアクセス区間の状態を評価する通信回線試験方法において、他方の地点では、試験用信号の異常を検出すると共に、当該異常が検出されると、当該試験用信号のバイト長を所定バイトだけ変更して一方の地点に向けて送信し、一方の地点では、所定バイトのバイト長変化を検出することにより一方の地点から他方の地点に向かうアクセス区間に異常があると判断するという構成を採用する。
【００１２】
また、通信回線試験方法に係わる第２の手段として、上記第１の手段において、ＬＡＮ（Ｌｏｃａｌ　Ａｒｅａ　Ｎｅｔｗｏｒｋ）を伝送するアクセス区間に適用し、試験用信号をＬＡＮフレームとするという構成を採用する。
【００１３】
通信回線試験方法に係わる第３の手段として、上記第２の手段において、他方の地点では、ＬＡＮフレームとして許容される最小フレーム長の試験用信号が受信された場合、試験用信号のフレーム長を所定バイトだけ増加させて一方の地点に向けて送信するという構成を採用する。
【００１４】
通信回線試験方法に係わる第４の手段として、上記第３の手段において、フレーム長を増加させた試験信号と当該試験信号に続く次の試験信号とのフレーム間隔がＬＡＮフレームとして許容される最小フレーム間隔を満足するように間隔設定するという構成を採用する。
【００１５】
通信回線試験方法に係わる第５の手段として、上記第２の手段において、ＬＡＮフレームとして許容される最大フレーム長の試験用信号が受信された場合、試験用信号のフレーム長を所定バイトだけ減少させるという構成を採用する。
【００１６】
【発明の実施の形態】
以下、図面を参照して、本発明に係わる信号折返装置及び通信回線試験方法の一実施形態について説明する。
【００１７】
図１は、本実施形態が試験対象とするアクセス区間及び試験に必要な設備を示す模式図である。この図において、符号ａは試験用に加入者宅内に設置されたＬＡＮ測定器、ｂは加入者宅内に設けられたメディアコンバータ、ｃは局内に設けられたメディアコンバータ、ｄは試験用に局内に設置された折返装置、ｅは各メディアコンバータｂ，ｃ間に敷設されたアクセス回線である。試験対象であるアクセス区間は、加入者宅内のメディアコンバータｂとアクセス回線と局内のメディアコンバータｃとに亘る区間である。
【００１８】
ＬＡＮ測定器ａからメディアコンバータｂに出力された試験用ＬＡＮフレームは、メディアコンバータｂ→アクセス回線→メディアコンバータｃを経由して折返装置ｄに入力される。このようにして折返装置ｄに入力された試験用ＬＡＮフレームは、折り返されてメディアコンバータｃ→アクセス回線→メディアコンバータｂを経由してＬＡＮ測定器ａに入力され、アクセス区間の状態が確認される。メディアコンバータｂからメディアコンバータｃに向かう伝送方向は上り方向であり、これとは逆の方向は下り方向である。なお、本実施形態の特徴である折返装置ｄの詳細については以下に説明するが、これ以外の機器については周知構成なので詳細説明を省略する。
【００１９】
図２は、折返装置ｄの機能構成を示すブロック図である。この図に示すように、本折返装置ｄは、物理層デバイス（ＰＨＹ）１（送受信手段）と、ＭＡＣアドレス制御部２と、フレーム監視部３（異常検出手段）と、アドレス変換部４（宛先変更手段）と、フレーム長可変部５（信号長変更手段）と、ＣＲＣ演算部６とから構成されている。物理層デバイス１は、局内のメディアコンバータｃから入力された試験用ＬＡＮフレームを物理層レベルで終端してＭＡＣアドレス制御部２に出力すると共に、ＣＲＣ演算部６から入力された試験用ＬＡＮフレームをも物理層レベルで終端して上記メディアコンバータｃに出力する。
【００２０】
ＭＡＣアドレス制御部２は、物理層デバイス１から入力された試験用ＬＡＮフレームの宛先ＭＡＣアドレスを確認することにより、正規の試験用ＬＡＮフレームと認定したもののみをフレーム監視部３及びアドレス変換部４に出力する。フレーム監視部３は、ＭＡＣアドレス制御部２から入力された試験用ＬＡＮフレームのＣＲＣ値に基づいてＣＲＣエラー（ビットエラー）を監視すると共に試験用ＬＡＮフレームのフレーム長を検出し、これらのＣＲＣエラー、フレーム長に関する情報を監視信号としてフレーム長可変部５に出力する。
【００２１】
アドレス変換部４は、ＭＡＣアドレス制御部２から入力された試験用ＬＡＮフレームの宛先アドレス（ＤＡ）と送信元アドレス（ＳＡ）を入れ替えてフレーム長可変部５に出力する。フレーム長可変部５は、フレーム監視部３から上記監視信号によって試験用ＬＡＮフレームのＣＲＣエラーが通知された場合にのみ、アドレス変換部４から入力された試験用ＬＡＮフレームのフレーム長を所定バイトだけ変更してＣＲＣ演算部６に出力するものである。なお、このフレーム長可変部５の詳細については後述する。ＣＲＣ演算部６は、フレーム長可変部５から入力された試験用ＬＡＮフレームのＣＲＣ値を計算して当該試験用ＬＡＮフレームのＦＣＳ部に格納するものであり、このような処理が完了した試験用ＬＡＮフレームを送信用に物理層デバイス１に出力する。
【００２２】
続いて、図３は、上記フレーム長可変部５の詳細な機能構成を示すブロック図である。この図に示すように、フレーム長可変部５は、１バイト付加部５ａと、１バイト遅延部５ｂと、１バイト削除部５ｃと、セレクタ５ｄとから構成されている。１バイト付加部５ａは、フレーム監視部３から入力された監視信号に応じて、アドレス変換部４から入力された試験用ＬＡＮフレームのデータ部に１バイト分のデータを付加してセレクタ５ｄに出力する。１バイト遅延部５ｂは、フレーム監視部３から入力された監視信号に応じて、アドレス変換部４から入力された試験用ＬＡＮフレームを１バイト分遅延させてセレクタ５ｄに出力する。
【００２３】
１バイト削除部５ｃは、フレーム監視部３から入力された監視信号に応じて、アドレス変換部４から入力された試験用ＬＡＮフレームのデータ部の最後から１バイト分のデータを削除してセレクタ５ｄに出力する。セレクタ５ｄは、フレーム監視部３から入力された監視信号に応じて、アドレス変換部４から入力された試験用ＬＡＮフレーム、１バイト付加部５ａから入力された試験用ＬＡＮフレーム、１バイト遅延部５ｂから入力された試験用ＬＡＮフレーム、あるいは１バイト削除部５ｃから入力された試験用ＬＡＮフレームの何れかを選択してＣＲＣ演算部６に出力する。すなわち、フレーム長可変部５は、監視信号の内容を制御情報として上記４つの試験用ＬＡＮフレームをセレクタ５ｄで択一的に選択して出力するものである。
【００２４】
次に、このように構成された折返装置ｄを用いた上記アクセス区間の開通試験について、図３及び図４をも参照して詳しく説明する。
【００２５】
開通試験では、ＬＡＮ測定器ａは、宛先ＭＡＣアドレスが特定アドレスに設定された複数の試験用ＬＡＮフレームを連続的にメディアコンバータｂに出力する。これら複数の試験用ＬＡＮフレームは、ＬＡＮ測定器ａから上り方向に伝送されて折返装置ｄに入力され、当該折返装置ｄの物理層デバイス１で物理層終端されてＭＡＣアドレス制御部２に入力される。
【００２６】
ＭＡＣアドレス制御部２は、この試験用ＬＡＮフレームの宛先ＭＡＣアドレスを予め設定された上記特定アドレスと比較することにより、自らに入力されたフレームが正規の試験用ＬＡＮフレームであるか否かを検証する。そして、ＭＡＣアドレス制御部２は、正規の試験用ＬＡＮフレームのみをフレーム監視部３及びアドレス変換部４に出力する一方、正規の試験用ＬＡＮフレームでないフレームを破棄する。なお、試験作業者は、試験前の準備段階において、ＭＡＣアドレス制御部２に予め設定された上記特定アドレスを確認し、当該特定アドレスが試験用ＬＡＮフレームの宛先ＭＡＣアドレスとなるようにＬＡＮ測定器ａを設定する。
【００２７】
アドレス変換部４に入力された試験用ＬＡＮフレームは、宛先アドレス（ＤＡ）と送信元アドレス（ＳＡ）が入れ替えられてフレーム長可変部５に出力される。そして、試験用ＬＡＮフレームは、フレーム長可変部５においてフレーム長が可変され、さらにＣＲＣ演算部６においてＣＲＣ値が演算・付加され、物理層デバイス１からＬＡＮ測定器ａに向けて下り方向に伝送される。
【００２８】
このような折返装置ｄにおける一連の処理の中で、試験用ＬＡＮフレームのフレーム長は、フレーム長可変部５の検出結果に基づいて以下のように変更設定される。なお、本アクセス区間に伝送されるＬＡＮフレームのフレーム長は、６４バイト〜１５３６バイトに規定されている。すなわち、６４バイトが試験用ＬＡＮフレームとして許容される最小フレーム長であり、また１５３６バイトが最大フレーム長である。以下におけるフレーム監視部３の動作説明では、試験用ＬＡＮフレームとして、最小フレーム長のＬＡＮフレームを用いる場合と最大フレーム長のＬＡＮフレームを用いる場合とに場合分けして説明する。
【００２９】
〔最小フレーム長の場合〕
ＬＡＮ測定器ａからフレーム長が最小フレーム長である６４バイト（ｂｙｔｅ）、かつ、フレーム間隔が１２バイト（ｂｙｔｅ）に設定された試験用ＬＡＮフレームを連続的に受信しているときに、ある試験用ＬＡＮフレームにおいてＣＲＣエラーが発生した場合について説明する。なお、説明を解り易くするために、以下では図４（ａ）に示すように４つのフレームＡ〜Ｄを例とし、斜線を施した２番目及び３番目のフレームＢ，ＣにＣＲＣエラーが発生した場合について説明する。
【００３０】
この場合、フレーム監視部３は、各々のフレームＡ〜Ｄについてフレーム長を６４バイトとして検出すると共に、フレームＢ，ＣについてはＣＲＣエラーを検出する。すなわち、フレーム監視部３は、ＭＡＣアドレス制御部２からフレームＢが入力されると、フレームＢのＣＲＣエラーを示す監視信号をフレーム長可変部５に出力する。この結果、フレーム長可変部５のセレクタ５ｄは、１バイト付加部５ａから入力されたフレームＢを選択してＣＲＣ演算部６に出力する。すなわち、この場合、物理層デバイス１から下り方向に伝送されるフレームＢは、折返装置ｄに入力されたフレームＢに対してフレーム長が１バイトだけ長くなる。
【００３１】
このようなフレームＢは、アクセス区間を下り方向に伝送されてＬＡＮ測定器ａに入力される。ＬＡＮ測定器ａは、アクセス区間から受信したフレームＢのフレーム長を検出して表示する。試験作業者は、ＬＡＮ測定器ａからアクセス区間に送信したフレームＢのフレーム長とＬＡＮ測定器ａに表示されたフレーム長とが１バイト相違していること確認することによって、アクセス区間におけるフレームＢの上り方向の伝送時にＣＲＣエラー、つまり異常が生じていたことを認知する。
【００３２】
なお、フレーム長可変部５には上記フレームＢに引き続いてフレームＣが入力されるが、先に入力されたフレームＢに１バイト分の付加が行われているので、セレクタ５ｄは、今回のフレームＣとの先のフレームＢとのフレーム間隔が許容される最小フレーム間隔である１２バイトを満足するように、１バイト遅延部５ｂから入力されたフレームＣを選択してＣＲＣ演算部６に出力する。
【００３３】
この結果、物理層デバイス１から下り方向に伝送されるフレームＣは、折返装置ｄに入力されたフレームＣに対して１バイト分遅延された、つまり図４（ｂ）に示すように、先のフレームＢとのフレーム間隔が１２バイト分確保される。すなわち、先のフレームＢについて１バイト分の付加を行うことにより試験用ＬＡＮフレームの上り方向の伝送時にＣＲＣエラーが発生したことを試験作業者に認知させることができるので、次のフレームＣについては、１バイト分の付加を行うことなく、最小フレーム間隔を満足させることのみを考慮して１バイト分遅延させる。
【００３４】
〔最大フレーム長の場合〕
この場合については、ＬＡＮ測定器ａからフレーム長が１５３６バイト、かつ、フレーム間隔が１２バイト（最小フレーム間隔）に設定された試験用ＬＡＮフレームを連続的に受信しているときに、ある試験用ＬＡＮフレームにおいてＣＲＣエラーが発生した場合について説明する。ここでは、説明を解り易くするために、図５（ａ）に示すような４つのフレームＡ〜Ｄを例とし、斜線を施した２番目及び３番目のフレームＢ，ＣにＣＲＣエラーが発生した場合について説明する。
【００３５】
この場合、フレーム監視部３は、ＭＡＣアドレス制御部２からフレームＢが入力されると、フレームＢのＣＲＣエラーを示す監視信号をフレーム長可変部５に出力する。そして、フレーム長可変部５のセレクタ５ｄは、１バイト削除部５ｃから入力されたフレームＢを選択してＣＲＣ演算部６に出力する。すなわち、この場合、物理層デバイス１から下り方向に伝送されるフレームＢは、折返装置ｄに入力されたフレームＢに対してフレーム長が１バイトだけ短くなる。このようなフレームＢは、アクセス区間を下り方向に伝送されてＬＡＮ測定器ａに入力され、フレーム長が表示される。そして、試験作業者は、ＬＡＮ測定器ａに表示されたフレーム長に基づいてアクセス区間の上り方向の伝送時に異常が生じていたことを認知する。
【００３６】
さらに、フレーム長可変部５にはフレームＢに引き続いてフレームＣが入力されるが、セレクタ５ｄは、アドレス変換部４から入力されたフレームＣを選択してＣＲＣ演算部６に出力する。すなわち、この場合には、物理層デバイス１から下り方向に伝送されるフレームＣは、図５（ｂ）に示すように、何等処理されることなくそのまま出力されるので、先のフレームＢとのフレーム間隔が当該フレームＢのデータを１バイト削除した分だけ増えて１３バイトとなる。
【００３７】
このような本実施形態によれば、最小フレーム長の試験用ＬＡＮフレームを用いてアクセス区間の開通試験を行う場合、試験用ＬＡＮフレームの上り方向の伝送においてＣＲＣエラーが生じたときには、折返装置ｄによって１バイト分だけフレーム長が増加される。一方、最大フレーム長の試験用ＬＡＮフレームを用いてアクセス区間の開通試験を行う場合、試験用ＬＡＮフレームの上り方向の伝送においてＣＲＣエラーが生じたときには、折返装置ｄによって１バイト分だけフレーム長が短くされる。そして、このようなフレーム長の増加／減少をＬＡＮ測定器ａで検出することによって、下り方向の伝送におけるＣＲＣエラーの発生が試験作業者に認知される。
【００３８】
なお、本発明は、上記実施形態に限定されるものではなく、例えば以下のような変形が考えられる。
（１）上記実施形態では、試験用ＬＡＮフレームのフレーム長を１バイト増加あるいは減少させるようにしたが、このフレーム長の増加幅あるいは減少幅は、１バイトに限定されることなく、例えば２バイト以上であっても良い。
（２）最小フレーム長及び最大フレーム長以外のフレーム長の試験用ＬＡＮフレームを用いる場合には、１バイトの増加あるいは減少の何れを採用しても良い。
（３）フレーム長を１バイト増加させるためにデータ部に書き込むデータとしては、全てのビット値が「１」である特殊な符号とすることが考えられる。
【００３９】
【発明の効果】
以上説明したように、本発明によれば、一方の地点と他方の地点とを結ぶアクセス区間の開通試験において、一方の地点に設けられた試験装置からアクセス区間を介して受信した試験用信号を折り返して試験装置に向けてアクセス区間に送出する信号折返装置であって、アクセス区間から入力される試験用信号を受信すると共に、アクセス区間に向けて試験用信号を送信する送受信手段と、該送受信手段が受信した試験用信号の異常を検出する異常検出手段と、送受信手段が受信した試験用信号の送信元と宛先とを入れ替える宛先変更手段と、異常検出手段によって試験用信号の異常が検出されると、当該試験用信号のバイト長を所定バイトだけ変更して、送信用に送受信手段に出力する信号長変更手段とを具備するので、試験用信号の上り方向の伝送時に異常が発生したことを一方の地点側で認知することが可能となる。すなわち、アクセス区間の試験において異常箇所を上り方向と下り方向とに切り分ることが可能となる。
【図面の簡単な説明】
【図１】本発明の一実施形態が試験対象とするアクセス区間及び試験に必要な設備を示す模式図である。
【図２】本発明の一実施形態に係わる折返装置ｄの機能構成を示すブロック図である。
【図３】本発明の一実施形態に係わる態折返装置ｄにおけるフレーム長可変部５の機能構成を示すブロック図である。
【図４】本発明の一実施形態における試験用ＬＡＮフレームの構成（最小フレーム長の場合）及びフレーム長可変部５の動作を示す第１の模式図である。
【図５】本発明の一実施形態における試験用ＬＡＮフレームの構成（最大フレーム長の場合）及びフレーム長可変部５の動作を示す第１の模式図である。
【符号の説明】
ａ……ＬＡＮ測定器
ｂ，ｃ……メディアコンバータ
ｄ……折返装置
１……物理層デバイス（送受信手段）
２……ＭＡＣアドレス制御部
３……フレーム監視部（異常検出手段）
４……アドレス変換部（宛先変更手段）
５……フレーム長可変部（信号長変更手段）
５ａ……１バイト付加部
５ｂ……１バイト遅延部
５ｃ……１バイト削除部
５ｄ……セレクタ
６……ＣＲＣ演算部
【図１】
2004096425.tif 000003
【図２】
2004096425.tif 000004
【図３】
2004096425.tif 000005
【図４】
2004096425.tif 000006
【図５】
2004096425.tif 000007